(57)【要約】【課題】ＣＡＴＶシステムのヘッドエンド等で、ソフトウエア処理に起因するトラブルが発生したときに自動的に復帰する。【解決手段】デジタルテレビジョン放送信号を受け入れてアナログ画像信号とアナログ音声信号を出力するチューナ３０に接続されて、アナログ音声信号を受け入れて、所定時間無音状態が継続したことを検出する判定部１１と、判定部１１が、所定時間無音状態が継続したことを検出したとき、チューナ３０を駆動する電源を遮断して、再び当該電源を投入する動作を実行するリセット部１２を備える。復帰しないときは、チューナ３０を駆動する電源を遮断して再び当該電源を投入する動作を、無音状態が解消したことを検出するまで、所定時間ごとに繰り返す。【選択図】図１
2010118722.tif 000002
【特許請求の範囲】
【請求項１】
デジタルテレビジョン放送信号を受け入れてアナログ画像信号とアナログ音声信号を出力するチューナに接続されて、
前記アナログ音声信号を受け入れて、所定時間無音状態が継続したことを検出する判定部と、
前記判定部が、所定時間無音状態が継続したことを検出したとき、前記チューナを駆動する電源を遮断して、再び当該電源を投入する動作を実行するリセット部を備えたことを特徴とするヘッドエンド装置。
【請求項２】
請求項１に記載のヘッドエンド装置において、
前記チューナは、デジタルテレビジョン放送信号入力端子と、アナログ画像信号出力端子と、アナログ音声信号出力端子と、電源供給端子とを有し、これら以外の信号制御端子が取り付けられていないモジュール構造をしたものであることを特徴とするヘッドエンド装置。
【請求項３】
請求項１または２に記載のヘッドエンド装置において、
前記リセット部は、前記チューナを駆動する電源を遮断して再び当該電源を投入する動作を、前記無音状態が解消したことを検出するまで、所定時間ごとに繰り返すことを特徴とするヘッドエンド装置。
【請求項４】
請求項１乃至３のいずれかに記載のヘッドエンド装置において、
前記判定部は、前記アナログ音声信号を検波する検波回路と、この検波回路の出力信号を基準電圧と比較する比較回路とを備え、この比較回路は、前記検波回路の出力信号が所定時間以上前記基準電圧以下のとき、前記リセット部を起動するリセット信号を出力し、前記検波回路の出力信号が前記基準電圧を越えたとき、前記リセット部の動作を停止させるセット信号を出力することを特徴とするヘッドエンド装置。
【請求項５】
請求項１乃至４のいずれかに記載のヘッドエンド装置において、
前記チューナは、デジタルテレビジョン放送信号のチャンネル毎に設けられた、チャンネル固定式モジュールであって、当該モジュールを駆動する電源回路と前記判定部と前記リセット部とが、チューナ毎にそれぞれ独立に設けられていることを特徴とするヘッドエンド装置。
【請求項６】
請求項１乃至５のいずれかに記載のヘッドエンド装置において、
所定時間無音状態が継続したことを検出した後、チューナを駆動する電源を遮断して再び当該電源を投入する動作が終了するまでの間、前記判定部の下流側にリセット中である旨のアナウンス音声を送信する音声合成回路を設けたことを特徴とするヘッドエンド装置。
【請求項７】
アンテナ回路と、このアンテナ回路からデジタルテレビジョン放送信号を受け入れてアナログ画像信号とアナログ音声信号を出力する複数のチューナと、これらのチューナの出力信号を変調して混合し後続回路に転送する変調回路と、前記チューナの出力側に接続されたフリーズ防止回路とを備え、
前記フリーズ防止回路は、前記チューナの出力する前記アナログ音声信号を受け入れて、所定時間無音状態が継続したことを検出する判定部と、前記判定部が、所定時間無音状態が継続したことを検出したとき、前記チューナを駆動する電源を遮断して、再び当該電源を投入する動作を実行するリセット部を備えたことを特徴とするヘッドエンド装置。
【請求項８】
請求項７に記載のヘッドエンド装置において、
前記チューナは、受信アンテナに対して電源供給機能を有するデジタルテレビジョン放送信号入力端子を有し、
少なくとも２以上のチューナから、前記デジタルテレビジョン放送信号入力端子を通じて前記受信アンテナに同時に電源が供給されていることを特徴とするヘッドエンド装置。
【請求項９】
請求項７または８に記載のヘッドエンド装置において、
前記チューナから前記変調回路に入力する左右の音声信号を検波して合成した信号を前記フリーズ防止回路に入力することを特徴とするヘッドエンド装置。
【請求項１０】
請求項７乃至８のいずれかに記載のヘッドエンド装置において、
同一チャンネルのデジタルテレビジョン放送信号を受信するチューナを２台ずつ備え、前記判定部が、特定のチャンネルで所定時間繰り返し無音状態が継続したことを検出したとき、該当するチャンネルの受信動作中のチューナを駆動する電源を遮断して、該当するチャンネルの待機中のチューナの電源を投入する動作を実行するリセット部を備えたことを特徴とするヘッドエンド装置。
【発明の詳細な説明】
【技術分野】
【０００１】
本発明は、ＣＡＴＶ施設（ケーブルテレビジョン共同受信施設）のヘッドエンド等に使用されるヘッドエンド装置に関する。
【背景技術】
【０００２】
山間やビル陰等の、テレビジョン放送を受信し難い様々な地域（難視聴地域）において、ＣＡＴＶ施設が広く採用されている。また、集合住宅やホテル等でも、テレビジョン共同受信施設が広く採用されている。近々予定されているアナログテレビジョン放送からデジタルテレビジョン放送への切り替えが、これらの施設で問題になっている。
【０００３】
即ち、例えば、ホテル等の館内施設において、受信機（ＴＶ）を全てデジタル放送対応機に変更するには相当の設備投資が必要になる。また、既存のアナログテレビジョン受像機を一挙に廃棄処分にしようとするのは処分能力上問題がある。大量の廃棄物が発生するのは環境上も問題がある。そこで、これらの施設のヘッドエンドにおいて、デジタルテレビジョン放送を従来のアナログ変調方式に変換してから、各利用者に向けて再送する装置が開発され製品化されている（特許文献１参照）（特許文献２参照）。
【特許文献１】特開２００８−１６０８１５号公報
【特許文献２】特開２００７−１３８２０号公報
【発明の開示】
【発明が解決しようとする課題】
【０００４】
既知の従来の技術には、次のような解決すべき課題があった。
デジタル放送受信用のチューナは、従来のアナログ方式と異なり、処理の殆どがハードを含めたソフトウェアで処理されている。希に、このソフトウェア処理に起因するトラブル（フリーズ）が発生することがある。特に長時間連続使用した場合や、電波状況の変動や雷等のノイズがソフト処理に影響を与え易い。フリーズ状態のまま復帰しないで映像が止まってしまうと、利用者から施設管理者に対するクレームが発生する。この場合には、施設管理者がヘッドエンドに出向いて手動で復帰処理をしなければならない。また、あるいは、遠隔制御で復帰処理をするための装置を設けなければならない。この種の再放送システムは今後需要が立ち上がるもので、現在はまだあまり使用されていない。従って、こうしたフリーズに対しての検討は十分にされていない。
上記の課題を解決するために、本発明は、ソフトウェア処理に起因するトラブルが発生したときに自動復帰することを可能にするヘッドエンド装置を提供することを目的とする。
【課題を解決するための手段】
【０００５】
以下の構成はそれぞれ上記の課題を解決するための手段である。
〈構成１〉
デジタルテレビジョン放送信号を受け入れてアナログ画像信号とアナログ音声信号を出力するチューナに接続されて、前記アナログ音声信号を受け入れて、所定時間無音状態が継続したことを検出する判定部と、前記判定部が、所定時間無音状態が継続したことを検出したとき、前記チューナを駆動する電源を遮断して、再び当該電源を投入する動作を実行するリセット部を備えたことを特徴とするヘッドエンド装置。
【０００６】
〈構成２〉
構成１に記載のヘッドエンド装置において、前記チューナは、デジタルテレビジョン放送信号入力端子と、アナログ画像信号出力端子と、アナログ音声信号出力端子と、電源供給端子とを有し、これら以外の信号制御端子が取り付けられていないモジュール構造をしたものであることを特徴とするヘッドエンド装置。
【０００７】
〈構成３〉
構成１または２に記載のヘッドエンド装置において、前記リセット部は、前記チューナを駆動する電源を遮断して再び当該電源を投入する動作を、前記無音状態が解消したことを検出するまで、所定時間ごとに繰り返すことを特徴とするヘッドエンド装置。
【０００８】
〈構成４〉
構成１乃至３のいずれかに記載のヘッドエンド装置において、前記判定部は、前記アナログ音声信号を検波する検波回路と、この検波回路の出力信号を基準電圧と比較する比較回路とを備え、この比較回路は、前記検波回路の出力信号が所定時間以上前記基準電圧以下のとき、前記リセット部を起動するリセット信号を出力し、前記検波回路の出力信号が前記基準電圧を越えたとき、前記リセット部の動作を停止させるセット信号を出力することを特徴とするヘッドエンド装置。
【０００９】
〈構成５〉
構成１乃至４のいずれかに記載のヘッドエンド装置において、前記チューナは、デジタルテレビジョン放送信号のチャンネル毎に設けられた、チャンネル固定式モジュールであって、当該モジュールを駆動する電源回路と前記判定部と前記リセット部とが、チューナ毎にそれぞれ独立に設けられていることを特徴とするヘッドエンド装置。
【００１０】
〈構成６〉
構成１乃至５のいずれかに記載のヘッドエンド装置において、所定時間無音状態が継続したことを検出した後、チューナを駆動する電源を遮断して再び当該電源を投入する動作が終了するまでの間、前記判定部の下流側にリセット中である旨のアナウンス音声を送信する音声合成回路を設けたことを特徴とするヘッドエンド装置。
【００１１】
〈構成７〉
アンテナ回路と、このアンテナ回路からデジタルテレビジョン放送信号を受け入れてアナログ画像信号とアナログ音声信号を出力する複数のチューナと、これらのチューナの出力信号を変調して混合し後続回路に転送する変調回路と、前記チューナの出力側に接続されたフリーズ防止回路とを備え、前記フリーズ防止回路は、前記チューナの出力する前記アナログ音声信号を受け入れて、所定時間無音状態が継続したことを検出する判定部と、前記判定部が、所定時間無音状態が継続したことを検出したとき、前記チューナを駆動する電源を遮断して、再び当該電源を投入する動作を実行するリセット部を備えたことを特徴とするヘッドエンド装置。
【００１２】
〈構成８〉
構成７に記載のヘッドエンド装置において、前記チューナは、受信アンテナに対して電源供給機能を有するデジタルテレビジョン放送信号入力端子を有し、少なくとも２以上のチューナから、前記デジタルテレビジョン放送信号入力端子を通じて前記受信アンテナに同時に電源が供給されていることを特徴とするヘッドエンド装置。
【００１３】
〈構成９〉
構成７または８に記載のヘッドエンド装置において、前記チューナから前記変調回路に入力する左右の音声信号を検波して合成した信号を前記フリーズ防止回路に入力することを特徴とするヘッドエンド装置。
【００１４】
〈構成１０〉
構成７乃至８のいずれかに記載のヘッドエンド装置において、同一チャンネルのデジタルテレビジョン放送信号を受信するチューナを２台ずつ備え、前記判定部が、特定のチャンネルで所定時間繰り返し無音状態が継続したことを検出したとき、該当するチャンネルの受信動作中のチューナを駆動する電源を遮断して、該当するチャンネルの待機中のチューナの電源を投入する動作を実行するリセット部を備えたことを特徴とするヘッドエンド装置。
【発明の効果】
【００１５】
〈構成１の効果〉
デジタルテレビジョン放送信号を受け入れてアナログ画像信号とアナログ音声信号を出力するモジュール構造のチューナが、落雷等の外乱によりフリーズしたとき、チューナ本体の内部回路に触れることなく、自動的にリセットをして、正常な状態に復帰させることができる。所定時間無音状態が継続したことを検出してリセットの動作の必要性を判断するので、チューナにフリーズ検出用の制御端子等を必要としない。チューナを駆動する電源を遮断して再び当該電源を投入する動作によりリセット処理をするので、リセット端子の無いチューナにも簡単に適用できる。
〈構成２の効果〉
内部回路の動作を制御する入出力端子の無いモジュール構造のチューナに対して、簡単に外付けをして制御できる。
〈構成３の効果〉
チューナを駆動する電源を遮断して再び当該電源を投入する動作を１回実行しただけではリセットができないとき、この動作を自動的に何回も繰り返して復帰をさせることができる。
〈構成４の効果〉
アナログ音声信号を検波して基準電圧と比較し、検波回路の出力信号が所定時間以上前記基準電圧以下のときフリーズ検出をするようにすれば、検出回路を簡単で信頼性の高いものにできる。
〈構成５の効果〉
複数のチャンネル固定式モジュールにそれぞれ個別に電源回路と判定部とリセット部とを設けて制御すると、簡潔で確実な監視と制御ができる。
〈構成６の効果〉
所定時間無音状態が継続したことを検出した後、チューナを駆動する電源を遮断して再び当該電源を投入する動作が終了するまでの間、視聴者側のテレビジョンの画像が消え、音声も無くなる。このとき、リセット中である旨のアナウンス音声を送信する音声合成回路を起動すれば、視聴者に安心感を与えることができる。
〈構成７の効果〉
チューナと、チューナの出力信号を変調して混合し後続回路に転送する変調回路と、上記のフリーズ防止回路と電源回路により、信頼性の高いヘッドエンドが構成される。
〈構成８の効果〉
１台のチューナの電源がリセット部により遮断されたときでも、他のチューナからアンテナ中の回路用の電源供給が継続される。
〈構成９の効果〉
チューナから左右の音声信号が出力さるときは、これらを合成した信号をフリーズ防止回路に入力すれば、左右両チャンネルが同時に無音になったとき、フリーズ状態を検出できる。
〈構成１０の効果〉
チューナを多重化しておき、所定時間繰り返し無音状態が継続したときに、待機中のパックアップ用のチューナに切り替える動作を自動化すると、システムの信頼性を向上させることができる。
【発明を実施するための最良の形態】
【００１６】
以下、本発明の実施の形態を実施例毎に詳細に説明する。
【実施例１】
【００１７】
図１は実施例１のヘッドエンド装置のブロック図である。
この装置は、例えばケーブルテレビのヘッドエンドに設けられる。ディジタルテレビジョン放送を受信するアンテナ１７には、分配部１８が接続されている。分配部１８の後方には、それぞれデジタルテレビジョン放送信号のチャンネルごとに設けられたチューナ３０が接続されている。各チューナ３０は、受信チャンネルが固定されたチャンネル固定式チューナーモジュールである。例えば、ＢＳ放送が３チャンネルあれば、この図のように３台のチューナ３０が接続される。８チャンネルあれば８台、これに地上デジタル放送１０チャンネルが追加されたとすれば、さらに１０台のチューナ３０が接続される。
【００１８】
各チューナ３０は、いずれも、アンテナ１７で受信したデジタルテレビジョン放送を受け入れてアナログ画像信号２５とアナログ音声信号２１を出力する機能を持つ。チューナ３０の出力は変調ユニット５０に入力する。ここで既知のアナログテレビジョン放送信号（例えばＮＴＳＣ方式ＡＭテレビジョン放送波）が生成される。変調ユニット５０もチャンネルごとに設けられている。そして各変調ユニット５０から出力されたアナログテレビジョン放送信号が混合部１９により混合されて、視聴者の図示しないテレビジョン受像機が接続された同軸ケーブルに供給される。
【００１９】
この構成のヘッドエンド装置によれば、デジタルテレビジョン放送を受信し、この信号を、従来利用されてきたアナログテレビジョン放送の放送信号に変換して、共同受信施設に送り込むので、従来のアナログテレビジョン受信機で、全てのデジタル放送を受信することができる。ここで、このシステムでは、本発明の課題に掲げたように、長時間連続運転をしたり落雷などの外乱が侵入したりすることによって、ソフトウェア処理に起因するトラブル（フリーズ）が発生するおそれがある。
【００２０】
そこで、本発明では、このフリーズが発生した時その状態を検出し、自動的に復帰をさせるために、フリーズ防止回路１０を設けている。フリーズ防止回路１０は、各チューナ３０にそれぞれ１台ずつ設けられ、チューナ３０の出力する音声信号を受け入れる。フリーズ防止回路１０は、フリーズ状態を検出すると電源部４０を制御して、チューナ３０を駆動するための電源を遮断し、その後再びその電源を投入するという動作を実行する。なお、電源部４０から各チューナ３０に対しては、電源供給端子４６を通じて駆動電力が供給される。
【００２１】
なお、デジタルテレビジョン放送用のパラボラ型の受信アンテナ１７には、分配部１８やアンテナ入力端子を通じてチューナ３０から駆動用の電源が供給される。しかし、この発明では、フリーズ状態を検出すると該当するチューナ３０の電源を遮断するという制御をする。従って、どのチューナ３０の電源が遮断されてもアンテナ１７の機能を維持できるように、少なくとも２以上のチューナ３０から、アンテナ入力端子１５を通じてアンテナ１７中の回路に電源が供給される。即ち、図のように、各チューナ３０の電源が、分配部１８の内部に設けられた逆流阻止ダイオード１６を介して、受信アンテナ１７に接続されている。
【００２２】
図に示すように、フリーズ防止回路１０は、判定部１１とリセット部１２とメンテモードスイッチ１３とリレードライバ１４を備える。音声増幅器５２は、チューナ３０の出力するアナログ音声信号２１を所定のレベルまで増幅する。音声検波器５３は、音声増幅器５２の出力信号を検波する。判定部１１には、音声検波信号２２と基準電圧２３が入力され、２つの信号を比較する。この判定部は、既存のテレビジョン放送受信システムにおいて、音声信号受信障害発生を判断する基準に基づいて設計する。
【００２３】
基準電圧２３を、音声信号の許容最低受信レベルより少し低い値に設定しておく。そして、入力する音声検波信号２２と基準電圧２３とを比較する。例えば、判定部１１は毎秒１０回比較判定結果を出力する。音声検波信号２２が基準電圧２３以下ならＬ、それ以外の場合はＨの判定信号を出力するものとする。Ｌが出力される度にカウンタをインクリメントし、Ｈが出力されるとカウンタをゼロクリアするように制御する。カウンタの値が３００を越えたとき、リセット部１２を起動するためのリセット信号を出力する。
【００２４】
判定部１１には所定の入力ポートを介して音声検波信号２２と基準電圧２３とが入力するようにし、判定部１１、リセット部１２、メンテモードスイッチ１３、リレードライバ１４はコンピュータプログラムにより実現するとよい。カウンタはプログラムカウンタである。３０秒間音声検波信号２２を監視して、その間一度でもＨの判定信号が出力されたときは、音声検波信号２２のレベル監視をカウントゼロからやり直す。こうして、音声検波信号２２が所定時間（ここでは３０秒間）以上、基準電圧２３を越えないとき、フリーズが発生したと判断する。なお、その後音声信号が復帰して、Ｈの判定信号が出力されたときには、判定部１１からリセット部１２に対して、リセット動作を停止させるセット信号が出力される。
【００２５】
判定部１１からリセット信号が出力されると、リセット部１２はリレードライバ１４を制御して、電源を遮断するための、制御信号を電源部４０に向けて出力する。判定部１１からセット信号が出力されると、リセット部１２はリレードライバ１４を制御して、電源を投入するための制御信号を電源部４０に向けて出力する。なお、メンテモードスイッチ１３は、リセット部１２とリレードライバ１４とを切り離すためのオンオフスイッチである。例えばチューナ３０の調整や取り外しなどのサービス作業をするとき、フリーズ防止回路１０が動作しないようにする。ソフトウェア制御の場合にはソフトウエアスイッチである。メンテモードスイッチ１３は、通常は通常（デフォルト）はオンになっている。
【００２６】
再び図２において、電源部４０は避雷部４１と接点式または電子式の電源リレー４３とを備える。電源リレー４３はリレードライバ１４によってオンオフ制御される。チューナ３０は、直流電源回路３１とメイン基板３２とＤＣ／ＤＣコンバータ３３を備える。直流電源回路３１は電源部４０から入力する交流電源を利用して直流のメイン電圧（例えば５ボルト）を発生し、メイン基板３２等に供給する回路である。また、直流のメイン電圧はＤＣ／ＤＣコンバータ３３により変換されて、回路各部に必要な直流電圧が供給される。メイン基板３２はデジタルテレビジョン放送信号をアナログテレビジョン放送信号に変換する既知の回路で、その詳細な説明は省略する。
【００２７】
以上の回路において、電源リレー４３がオンのときは、外部から取り入れたＡＣ１００Ｖの電源を電源リレー４３を通じてチューナ３０に供給する。一方、電源リレー４３がオフのときは、チューナ３０の電源入力端子を共に接地する。これにより、雷サージによるフリーズ発生時にチューナ３０の直流電源回路３１に蓄積された電荷が完全に放電され、確実にリセットができる。
【００２８】
また、無音状態の検出方法には各種考えられるが、アナログ音声信号を検波する音声検波器５３を設けて、音声検波器５３の出力信号を基準電圧２３と比較するようにすると、検波回路の出力信号が所定時間以上基準電圧以下になる状態を検出し易く、検出回路を簡単で信頼性の高いものにできる。
【００２９】
図３は電源部４０のさらに詳細な結線図で電子リレー（ＳＳＲ）を使用した例である。
プラグ４２は、接地端子付きのコンセントに接続するためのものである。避雷部４１は内部回路を保護するための避雷器素子を組み込んだ回路である。接地線４５は大地と確実に接地し、雷サージの吸収を早める。接点式の場合は図２で説明したとおりに電源リレー４３の接点に接続される。また、この電源部４０は、図１に示したチューナ３０の図示しない電源プラグを接続するための電源供給端子４６を、チューナ３０ごとに設けている。チューナ３０の電源プラグは、図２中の直流電源回路３１の電源部４０側に設けられる。直流電源回路４７は、フリーズ防止回路１０に対して駆動用の電力を供給するためのものである。
【００３０】
図１において、この実施例のヘッドエンド装置のチューナ３０は、デジタルテレビジョン放送信号を受け入れるアンテナ入力端子１５と、アナログ画像信号２５を出力する出力端子と、アナログ音声信号２１を出力する出力端子と、電源部４０と接続された電源供給端子４６とを有する。チューナ３０にはこれら以外の信号制御端子が取り付けられていない。こうしたモジュール構造のチューナ３０を確実にリセットするために、所定時間無音状態が継続したことを検出してリセットの動作の必要性を判断することにした。従って、チューナ本体の内部回路の変更をすることなく、自動的にリセットをして、正常な状態に復帰させることができる。また、既存のシステムを変更することなく外付けにより、フリーズリセット機能を付与することができる。
【実施例２】
【００３１】
図４は変調ユニット５０の内部回路を示す結線図である。
既存のチューナ３０は、アナログの左右の音声信号と画像信号とを出力するものが多い。即ち、チューナ３０の出力を受け入れる変調ユニット５０には、アナログの音声左信号と音声右信号（両者を含めて音声出力信号２０とした）とアナログ画像信号２５とが入力する。この実施例では、図２で説明したアナログ音声信号２１を音声出力信号（左右）２０として説明する。このときには、音声左信号と音声右信号のいずれもが無音状態の時チューナがフリーズしたと判断する。従って、これらの信号を合成したものを取り出す回路が必要になる。そこで、この図に示すように、変調ユニット５０の入力側に簡単な回路を設けている。
【００３２】
変調ユニット５０は、音声信号のダイナミックレンジを圧縮するためのリミッタ５１を備える。リミッタ５１の出力信号は音声増幅器５２により増幅され音声エンコーダ５５に入力する。リミッタ５１の動作を制御するために、音声増幅器５２の出力信号は音声検波器５３で検波されてフィードバックされる。この音声検波器５３の、左信号の分と右信号の分とを、一対のダイオード５４により取り出して合成する。これをフリーズ防止回路１０に供給するための音声検波信号２２とする。もちろん、フリーズ防止回路１０に、チューナ３０からの音声出力信号２０を取り入れる回路を別に設けても構わない。この実施例のほうが、変調ユニット５０の入力回路をごく簡単に変更してこの機能を実現できる。
【００３３】
なお、図４において、音声左信号と音声右信号とを増幅した音声増幅器５２の出力は、いずれも音声エンコーダ５５に入力する。ここで音声出力信号２０が合成されて、中間周波変調部６０に送り込まれる。アナログ画像信号２５は、中間周波変調部６０に直接入力する。中間周波変調部６０は、よく知られた手順で変調処理を行い、アナログテレビジョン放送信号を生成する。そして、フィルタ回路６１を用いて帯域調整を行い、所定の周波数で出力する。
【００３４】
また、図４に示す回路には、変調ユニット５０の内部もしくはフリーズ防止回路１０の内部に、合成音声発生部６５を設ける。そして、例えば図２に示したフリーズ防止回路１０のリセット部１２が動作して、チューナ３０に供給する電源を遮断した時、その後チューナ３０が復帰するまで、合成音声発生部６５を動作させる。即ち、チューナ３０を駆動する電源を遮断して再び当該電源を投入する動作が終了するまでの間、チューナ３０の下流側にリセット中である旨のアナウンス音声を送信する。この合成音声発生部６５は例えば「只今障害が発生しました。テレビジョンを復帰処理中です。」といったアナウンス音声を発音するための信号を出力する。合成音声発生部６５の出力信号を音声エンコーダ５５に供給すれば、リセット動作中視聴者が、障害の原因を認識できる。すなわち視聴者を障害復帰処理中という説明で安心させることができる。
【実施例３】
【００３５】
図５は上記の装置の動作タイミングチャートである。
この図は、３種類の制御信号のタイミングを比較したもので、横軸は時間を表す。音声検出信号７１は、チューナ３０から出力される音声信号が有る場合にローレベル、無い場合にハイレベルになる検出信号である。電源制御信号７２は、チューナ３０の電源をオンした場合にハイレベル、オフした場合にローレベルになる制御信号である。チューナ電源電圧７３は、チューナの図２に示したメイン基板３２に供給される直流電圧のレベルを示す。ハイレベルは例えばＶｃｃ電圧である。
【００３６】
まず時刻ｔ１において無音状態が検出されたとする。このとき、図２に示す判定部１１は、３０秒間継続して音声検波信号２２が基準電圧２３以下になったかどうかを判断する。もちろん、条件に応じてこの判定時間を伸縮して構わない。３０秒間無音状態を検出すると、時刻ｔ２においてリセット部１２は、チューナ３０に供給する電源を遮断する。電源制御信号７２がローレベルの、電源を遮断した状態を１０秒間継続させる。
【００３７】
電源を遮断して１０秒経過すると、チューナ３０の直流電源回路３１の電荷が十分に放電されて、チューナ電源電圧７３がＶｃｃ／３（５Ｖメインであれば１．７Ｖ）以下になる。これで、大部分の場合、チューナ３０がリセットされる。時刻ｔ３で再びチューナ３０に供給する電源をオンにする。そして、約１０秒間待機した後に、再び判定部１１が音声信号の状態監視を始める。この例では、時刻ｔ４においてもまだ無音状態が継続している。その場合に再び３０秒間無音状態を検知すると、判定部１１はリセット部１２を制御してチューナ３０に供給する電源を遮断する。
【００３８】
すなわち時刻ｔ５で再びチューナ３０の電源が遮断される。その後電源制御信号７２がローレベルの、電源を遮断した状態を１０秒間継続させ、再び時刻ｔ６で電源をオンする。この動作を繰り返しても、例えば時刻ｔ７で無音状態を検出したとすると、時刻ｔ８以降も同様に電源の遮断を繰り返すことになる。この例では時刻ｔ９で電源を立ち上げた後約１０秒間後にメイン基板３２の動作が開始され、無音状態が解消している。
【００３９】
以上のように、リセット部１２が、チューナ３０を駆動する電源を遮断して再び当該電源を投入する動作を、無音状態が解消したことを検出するまで、所定時間ごとに繰り返すように制御すると、チューナ３０をほとんどの場合、確実に復帰をさせることができる。また、もし復帰できない障害が発生しているときには、その状態が明確に分かる。
【実施例４】
【００４０】
図６は、本発明の装置をコンピュータプログラムで制御する場合の動作フローチャートである。
まず、ステップＳ１１では、チューナ３０から出力されるアナログ音声信号の監視を始める。次に、ステップＳ１２では、無音状態が３０秒継続したかどうかという判断をする。この判断の結果がイエスのときはステップＳ１３の処理に移行し、ノーのときはそのまま待機して、監視を続ける。ステップＳ１３では、フリーズ防止回路１０が電源部のリレーを動作させて、チューナ３０の電源を遮断する。
【００４１】
ステップＳ１４では、電源を遮断してから１０秒経過したかどうかという判断をする。この判断の結果がイエスのときはステップＳ１５の処理に移行し、ノーのときはそのまま待機する。１０秒経過するとステップＳ１５で電源を投入する。ステップＳ１６では、その後さらに１０秒経過したかどうかという判断をする。この判断の結果がイエスのときはステップＳ１７の処理に移行し、ノーのときはそのまま待機する。
【００４２】
ステップＳ１７では、エラーカウンタをインクリメントする。このエラーカウンタは、電源を遮断して再び電源を投入するというサイクルを何回繰り返したかを数えるためのものである。ステップＳ１８では、エラーカウンタ＞５かどうかという判断をする。この判断の結果がイエスのときはステップＳ１９の処理に移行し、ノーのときはステップＳ１２の処理に移行する。まだ、５回も電源の遮断と投入のサイクルをくりかえしていないときは、ステップＳ１２の無音状態監視に戻る。一方、５サイクルを越えるほど繰り返してもチューナが復帰しないときは、パックアップ用として併設しておいた別のチューナに電源を投入して、チューナ３０の切り替えをする。即ち、この実施例では、全く同一の機能を持つチューナ３０を２台ずつ設けて、一方の電源を投入して動作させておく。そして、そのチューナがフリーズしてリセットできないときは、待機中のチューナに電源を投入して動作させる。これで、さらに信頼性の高い安定な制御ができる。
【００４３】
図７は本発明の装置のシャーシフレーム構成を示す正面図である。
本発明の装置はこの図に示すように組み立てられる。図のフレームには、３台のデジタルチューナユニット８１、８２、８３が固定されている。これらに並べて、フリーズ防止回路ユニット９０が取り付けられている。そして、これらと接続するために、ＡＭ変調ユニット８４、８５、８６が積層されるようにして固定されている。フレームのコーナー部分には電源部４０が設けられている。このように、フリーズ防止回路ユニット９０は、簡単に小スペースで外付けすることができる。
【図面の簡単な説明】
【００４４】
【図１】実施例１のヘッドエンド装置のブロック図である。
【図２】図１の装置のさらに詳細なブロック図を示す。
【図３】電源部４０のさらに詳細な結線図である。
【図４】変調ユニット５０の内部回路を示す結線図である。
【図５】上記の装置の動作タイミングチャートである。
【図６】本発明の装置をコンピュータプログラムで制御する場合の動作フローチャートである。
【図７】本発明の装置のシャーシフレーム構成を示す正面図である。
【符号の説明】
【００４５】
１０  フリーズ防止回路
１１  判定部
１２  リセット部
１３  メンテモードスイッチ
１４  リレードライバ
１５  アンテナ入力端子
１６  逆流阻止ダイオード
１７  アンテナ
１８  分配部
１９  混合部
２０  音声出力信号（左右）
２１  音声信号
２２  音声検波信号
２３  基準電圧
２５  アナログ画像信号
３０  チューナ
３１  直流電源回路
３２  メイン基板
３３  ＤＣ／ＤＣコンバータ
４０  電源部
４１  避雷部
４２  プラグ
４３  電源リレー
４５  接地線
４６  電源供給端子
４７  直流電源回路
５０  変調ユニット
５１  リミッタ
５２  音声増幅器
５３  音声検波器
５４  ダイオード
５５  音声エンコーダ
６０  中間周波変調部
６１  フィルタ回路
６５  合成音声発生部
７１  音声検出信号
７２  電源制御信号
７３  チューナ電源電圧
８１〜８３  デジタルチューナユニット
８４〜８６  ＡＭ変調ユニット
９０  フリーズ防止回路ユニット
【図１】
2010118722.tif 000003
【図２】
2010118722.tif 000004
【図３】
2010118722.tif 000005
【図４】
2010118722.tif 000006
【図５】
2010118722.tif 000007
【図６】
2010118722.tif 000008
【図７】
2010118722.tif 000009